(57)【要約】【課題】撮像部による被験者の頭部の撮像に要する手間が増加することを抑制することが可能な画像診断装置を提供する。【解決手段】この画像診断装置１００は、被験者１の頭部１ａの疾患の診断を行うための画像診断装置であって、被験者１を載置する載置台１０と、載置台１０に設けられ、被験者１の頭部１ａを支持する頭部支持部材２０と、頭部支持部材２０に支持された被験者１の頭部１ａから放出された放射線を検出することにより、被験者１の頭部１ａを撮像する撮像部３０と、を備える。また、頭部支持部材２０は、撮像部３０による撮像範囲３３を示す印部２３を含む。【選択図】図３
2020091172.tif 000002
【特許請求の範囲】
【請求項１】
被験者の頭部の疾患の診断を行うための画像診断装置であって、
前記被験者を載置する載置台と、
前記載置台に設けられ、前記被験者の頭部を支持する頭部支持部材と、
前記頭部支持部材に支持された前記被験者の頭部から放出された放射線を検出することにより、前記被験者の頭部を撮像する撮像部と、を備え、
前記頭部支持部材は、前記撮像部による撮像範囲を示す印部を含む、画像診断装置。
【請求項２】
前記印部は、前記撮像部による撮像範囲の前記被験者の頭頂部側の撮像端を示す第１の印部を有する、請求項１に記載の画像診断装置。
【請求項３】
前記第１の印部は、前記頭部支持部材に付された図形、または、前記頭部支持部材に設けられた凹部により構成されている、請求項２に記載の画像診断装置。
【請求項４】
前記頭部支持部材に設けられるとともに、前記第１の印部の位置に前記被験者の頭頂部の位置を規制するための規制部材をさらに備える、請求項２または３に記載の画像診断装置。
【請求項５】
前記規制部材は、前記頭部支持部材に着脱可能に設けられている、請求項４に記載の画像診断装置。
【請求項６】
前記第１の印部は、前記頭部支持部材に付された図形により構成されており、
前記規制部材は、前記頭部支持部材にスライド移動可能に設けられている、請求項５に記載の画像診断装置。
【請求項７】
前記第１の印部は、前記頭部支持部材に設けられた凹部により構成されており、
前記規制部材は、前記第１の印部である前記凹部に係合するように設けられている、請求項５に記載の画像診断装置。
【請求項８】
前記印部は、前記撮像部による撮像範囲の前記被験者の頭頂部側とは反対側の撮像端を示す第２の印部を有する、請求項１〜７のいずれか１項に記載の画像診断装置。
【請求項９】
前記第２の印部は、前記頭部支持部材の前記被験者の頭頂部側とは反対側の端部により構成されている、請求項８に記載の画像診断装置。
【発明の詳細な説明】
【技術分野】
【０００１】
本発明は、画像診断装置に関し、特に、被験者の頭部の疾患の診断を行うための画像診断装置に関する。
【背景技術】
【０００２】
従来、被験者の頭部の疾患の診断を行うための画像診断装置が知られている（たとえば、特許文献１参照）。
【０００３】
上記特許文献１には、被験者の頭部の疾患の診断を行うために、被験者の頭部を撮影する頭部用ＰＥＴ（Ｐｏｓｉｔｒｏｎ  Ｅｍｉｓｓｉｏｎ  Ｔｏｍｏｇｒａｐｈｙ）装置（画像診断装置）が開示されている。この頭部用ＰＥＴ装置は、頭部用ＰＥＴ検出器により消滅放射線を検出することにより、被験者の頭部を撮影するように構成されている。
【先行技術文献】
【特許文献】
【０００４】
【特許文献１】国際公開第２０１１／１２５２１２号
【発明の概要】
【発明が解決しようとする課題】
【０００５】
上記特許文献１には明記されていないが、上記特許文献１に記載されるような被験者の頭部を撮影する従来の画像診断装置では、頭部用ＰＥＴ検出器による被験者の頭部の撮影開始後に、頭部用ＰＥＴ検出器による被験者の頭部の撮影結果に基づいて、被験者の頭部が頭部用ＰＥＴ検出器による撮影範囲内に位置しているか否かを確認する場合がある。この場合、被験者の頭部が頭部用ＰＥＴ検出器によるによる撮影範囲外に位置していたことに起因して、撮影部による被験者の頭部の撮影のやり直しが起こる場合がある。撮影のやり直しが起こった場合、頭部用ＰＥＴ検出器（撮像部）による被験者の頭部の撮影に要する手間が増加するという問題点がある。
【０００６】
この発明は、上記のような課題を解決するためになされたものであり、この発明の１つの目的は、撮像部による被験者の頭部の撮像に要する手間が増加することを抑制することが可能な画像診断装置を提供することである。
【課題を解決するための手段】
【０００７】
上記目的を達成するために、この発明の一の局面における画像診断装置は、被験者の頭部の疾患の診断を行うための画像診断装置であって、被験者を載置する載置台と、載置台に設けられ、被験者の頭部を支持する頭部支持部材と、頭部支持部材に支持された被験者の頭部から放出された放射線を検出することにより、被験者の頭部を撮像する撮像部と、を備え、頭部支持部材は、撮像部による撮像範囲を示す印部を含む。
【０００８】
この発明の一の局面による画像診断装置では、上記のように構成することによって、頭部支持部材の印部を確認することにより、撮像部による被験者の頭部の撮像開始前に、被験者の頭部が撮像部による撮像範囲内に位置しているか否かを確認することができるので、撮像部による被験者の頭部の撮像開始前に、被験者の頭部を確実に撮像範囲内に位置させることができる。その結果、被験者の頭部が撮像部による撮像範囲外に位置していたことに起因して、撮像部による被験者の頭部の撮像のやり直しが起こることを抑制することができるので、撮像部による被験者の頭部の撮像に要する手間が増加することを抑制することができる。
【０００９】
上記一の局面による画像診断装置において、好ましくは、印部は、撮像部による撮像範囲の被験者の頭頂部側の撮像端を示す第１の印部を有する。このように構成すれば、頭部支持部材の第１の印部を確認することにより、被験者の頭頂部を確実に撮像範囲内に位置させることができる。
【００１０】
この場合、好ましくは、第１の印部は、頭部支持部材に付された図形、または、頭部支持部材に設けられた凹部により構成されている。このように構成すれば、簡素な構成により第１の印部を構成しつつ、第１の印部により、撮像部による撮像範囲の被験者の頭頂部側の撮像端を示す位置を視覚的に容易に識別することができる。
【００１１】
上記印部が第１の印部を有する構成において、好ましくは、頭部支持部材に設けられるとともに、第１の印部の位置に被験者の頭頂部の位置を規制するための規制部材をさらに備える。このように構成すれば、規制部材により被験者の頭頂部の位置を第１の印部の位置に規制することにより、被験者の頭頂部をより確実に撮像範囲内に位置させることができるとともに、規制部材により、撮像部による撮像範囲の被験者の頭頂部側の撮像端を示す位置を視覚的により容易に識別することができる。
【００１２】
この場合、好ましくは、規制部材は、頭部支持部材に着脱可能に設けられている。このように構成すれば、撮像部による被験者の頭部の撮像を行う際に、規制部材を頭部支持部材から取り外すことができるので、規制部材が撮像部による被験者の頭部の撮像結果に影響することを防止することができる。
【００１３】
上記規制部材が頭部支持部材に着脱可能に設けられている構成において、好ましくは、第１の印部は、頭部支持部材に付された図形により構成されており、規制部材は、頭部支持部材にスライド移動可能に設けられている。このように構成すれば、規制部材をスライド移動させることにより、容易に頭部支持部材に対して着脱することができる。
【００１４】
上記規制部材が頭部支持部材に着脱可能に設けられている構成において、好ましくは、第１の印部は、頭部支持部材に設けられた凹部により構成されており、規制部材は、第１の印部である凹部に係合するように設けられている。このように構成すれば、被験者の頭頂部が規制部材に接した場合、被験者の頭頂部が接した規制部材を、係合した第１の印部により、第１の印部の位置に留めることができるので、被験者の頭頂部を簡単に撮像範囲内に位置させることができる。
【００１５】
上記一の局面による画像診断装置において、好ましくは、印部は、撮像部による撮像範囲の被験者の頭頂部側とは反対側の撮像端を示す第２の印部を有する。このように構成すれば、頭部支持部材の第２の印部を確認することにより、被験者の顎部（頭頂部とは反対側の部分）を確実に撮像範囲内に位置させることができる。
【００１６】
この場合、好ましくは、第２の印部は、頭部支持部材の被験者の頭頂部側とは反対側の端部により構成されている。このように構成すれば、頭部支持部材のより深い位置に被験者の頭部を位置させることができるので、被験者の頭部をより確実に撮像範囲内に位置させることができる。
【発明の効果】
【００１７】
本発明によれば、上記のように、撮像部による被験者の頭部の撮像に要する手間が増加することを抑制することが可能な画像診断装置を提供することができる。
【図面の簡単な説明】
【００１８】
【図１】本発明の第１および第２実施形態による画像診断装置を示す模式的な図である。
【図２】本発明の第１実施形態による画像診断装置の被験者の頭部を支持した状態の頭部支持部をＺ１方向側から見た模式的な図である。
【図３】本発明の第１実施形態による画像診断装置の頭部支持部をＹ２方向側から見た図である。
【図４】（Ａ）は、本発明の第１実施形態による画像診断装置の規制部材を取り外した状態の頭部支持部を示す斜視図であり、（Ｂ）は、本発明の第１実施形態による画像診断装置の規制部材を取り付けた状態の頭部支持部を示す斜視図である。
【図５】本発明の第２実施形態による画像診断装置の頭部支持部をＹ２方向側から見た図である。
【図６】（Ａ）は、本発明の第２実施形態による画像診断装置の規制部材を取り外した状態の頭部支持部を示す斜視図であり、（Ｂ）は、本発明の第２実施形態による画像診断装置の規制部材を取り付けた状態の頭部支持部を示す斜視図である。
【発明を実施するための形態】
【００１９】
以下、本発明を具体化した実施形態を図面に基づいて説明する。
【００２０】
［第１実施形態］
（画像診断装置の構成）
図１〜図４を参照して、本発明の第１実施形態による画像診断装置１００の構成について説明する。
【００２１】
図１に示すように、画像診断装置１００は、被験者１の頭部１ａの疾患の診断を行うための装置である。具体的には、画像診断装置１００は、被験者１に予め投与された放射性薬剤に起因して被験者１の頭部１ａ内において発生した放射線（ガンマ線）を検出することにより、被験者１の頭部１ａを撮像するＰＥＴ装置である。放射線（ガンマ線）は、被験者１内において、放射性薬剤から発生した陽電子と、この陽電子の近傍の原子が有する電子との対消滅に起因して発生する。画像診断装置１００は、被験者１の頭部１ａの撮像結果に基づいて、被験者１の頭部１ａ内の画像を生成するように構成されている。医師は、画像診断装置１００により生成された被験者１の頭部１ａ内の画像に基づいて、被験者１の頭部１ａの疾患の診断を行う。
【００２２】
画像診断装置１００は、被験者１を載置する載置台１０を備えている。載置台１０は、天板部１１と、基台部１２とを含んでいる。天板部１１は、頭部１ａの撮像の際の被験者１の体位である仰臥位で被験者１を載置可能な板である。天板部１１は、水平方向の一方向であるＸ方向に長手方向を有し、水平面内でＸ方向に略直交する方向であるＹ方向に短手方向を有する矩形形状を有している。被験者１は、頭部１ａがＸ１方向側に位置し、足部１ｂがＸ２方向側に位置するように、天板部１１に載置される。基台部１２は、天板部１１を下方（Ｚ２方向側）から支持するように設けられている。基台部１２は、天板部１１を長手方向（Ｘ方向）および上下方向（Ｚ方向）に移動させることが可能なように構成されている。これにより、載置台１０は、天板部１１の水平方向の位置および上下方向の位置を調整可能に構成されている。
【００２３】
また、画像診断装置１００は、被験者１の頭部１ａを支持する頭部支持部材２０（ヘッドレスト）を備えている。頭部支持部材２０は、載置台１０に設けられている。具体的には、頭部支持部材２０は、載置台１０の天板部１１のＸ１方向側の端部１１ａに設けられている。頭部支持部材２０は、端部１１ａからＸ１方向に延びるように設けられている。また、頭部支持部材２０は、載置台１０の天板部１１とは別途独立して設けられている。頭部支持部材２０は、載置台１０の天板部１１に着脱可能に設けられている。また、頭部支持部材２０は、放射線（ガンマ線）を吸収しにくい樹脂材料（炭素繊維強化プラスチックなど）により構成されている。なお、頭部支持部材２０の詳細については、後述する。
【００２４】
また、画像診断装置１００は、頭部支持部材２０に支持された被験者１の頭部１ａから放出された放射線（ガンマ線）を検出することにより、被験者１の頭部１ａを撮像する撮像部３０を備えている。撮像部３０は、被験者１の頭部１ａから放出された放射線（ガンマ線）を検出する検出部である。撮像部３０は、載置台１０に対してＸ１方向側に設けられている。また、撮像部３０は、駆動機構（図示せず）により、被験者１の頭部１ａの撮像を行わない位置である退避位置と、被験者１の頭部１ａの撮像を行う位置である撮像位置との間を移動可能に構成されている。
【００２５】
撮像部３０は、筐体部３１と、複数の検出器３２とを含んでいる。筐体部３１は、略円環形状を有している。略円環形状の筐体部３１は、円環の中心を円環の軸方向（Ｘ方向）に貫通する貫通孔３１ａを有している。撮像部３０による撮像を行う際、被験者１の頭部１ａおよび頭部支持部材２０は、筐体部３１の貫通孔３１ａ内に位置している。複数の検出器３２の各々は、たとえば、シンチレータと光電子増倍管とを含むシンチレータ検出器である。複数の検出器３２の各々は、放射線（ガンマ線）を検出して、検出した放射線に応じた電気信号である検出信号を後述する画像処理部４０に送信するように構成されている。複数の検出器３２は、筐体部３１内に設けられている。複数の検出器３２は、筐体部３１の貫通孔３１ａを取り囲むように、円環状に設けられている。
【００２６】
また、画像診断装置１００は、撮像部３０の検出器３２からの検出信号に基づいて、被験者１の頭部１ａ内の画像を生成する画像処理部４０を備えている。画像処理部４０は、被験者１の頭部１ａ内の断層画像を生成するように構成されている。画像処理部４０は、たとえば、ＧＰＵなどのプロセッサと、情報を記憶するメモリとを含んでいる。
【００２７】
（頭部支持部材の構成）
図２〜図４に示すように、頭部支持部材２０は、本体部２１と、取付部２２とを含んでいる。本体部２１は、被験者１の頭部１ａを支持する部分である。本体部２１は、Ｘ方向に延びるように設けられている。具体的には、本体部２１は、Ｘ方向に延びる略半円筒状に設けられている。本体部２１は、Ｘ１方向側（被験者１の頭頂部１ｃ側）から見て、下方にＵ字状に湾曲するように設けられている。本体部２１は、Ｕ字状に湾曲する内側面である支持面２１ａを有してる。Ｕ字状の支持面２１ａは、被験者１の頭部１ａの背面側を下方から支持するとともに、被験者１の頭部１ａの左右の側頭部とそれぞれＹ方向に対向する。また、本体部２１のＸ２方向側の端部（被験者１の足部１ｂ側の部分）２１ｂは、Ｘ２方向側に向かって徐々に先太るテーパ状に形成されている。これにより、頭部支持部材２０本体部２１のより深い位置（よりＸ１方向側の位置）に被験者１の頭部１ａを位置させることが可能である。本体部２１のＸ２方向側の端部２１ｂは、被験者１の肩部１ｄとＸ方向に対向するように設けられている。
【００２８】
取付部２２は、載置台１０の天板部１１のＸ１方向側の端部１１ａに取り付けられる部分である。取付部２２は、載置台１０の天板部１１のＸ１方向側の端部１１ａの被取付部（図示せず）に挿入されることにより、載置台１０の天板部１１のＸ１方向側の端部１１ａに取り付けられる。取付部２２は、上下方向（Ｚ方向）に延びるように設けられている。具体的には、取付部２２は、本体部２１のＸ２方向側の端部２１ｂから下方向（Ｚ２方向）に延びるように設けられている。また、取付部２２は、本体部２１のＸ２方向側の端部２１ｂのＹ方向の中央部に設けられている。
【００２９】
ここで、第１実施形態では、図３および図４に示すように、頭部支持部材２０は、撮像部３０（図１参照）による撮像範囲３３を示す印部２３を含んでいる。印部２３は、撮像部３０による撮像範囲３３の被験者１の頭頂部１ｃ側（Ｘ１方向側）の撮像端を示す第１の印部２３ａと、撮像部３０による撮像範囲３３の被験者１の頭頂部１ｃ側とは反対側（Ｘ２方向側）の撮像端を示す第２の印部２３ｂとを有している。
【００３０】
第１の印部２３ａは、頭部支持部材２０に付された図形により構成されている。図３および図４では、第１の印部２３ａが三角形である例を示している。しかしながら、第１の印部２３ａは、三角形以外の図形（四角形、丸印、矢印など）であってもよい。第１の印部２３ａは、印刷、シール部材の貼付などにより、頭部支持部材２０に付されている。また、第１の印部２３ａは、頭部支持部材２０の本体部２１の外側面２１ｃに付されている。具体的には、第１の印部２３ａは、Ｕ字状に湾曲する外側面２１ｃの上端（Ｚ１方向側の端部）に付されている。また、第１の印部２３ａは、頭部支持部材２０の本体部２１のＸ１方向側の端部２１ｄよりもＸ２方向側に設けられている。
【００３１】
第２の印部２３ｂは、頭部支持部材２０の本体部２１の被験者１の頭頂部１ｃ側とは反対側（Ｘ２方向側）の端部２１ｂにより構成されている。具体的には、第２の印部２３ｂは、端部２１ｂの端面２１ｅにより構成されている。端面２１ｅは、端部２１ｂの被験者１の肩部１ｄとＸ方向に対向する面である。第２の印部２３ｂは、第２の印部２３ｂの位置に被験者１の肩部１ｄの位置を規制するように設けられている。これにより、被験者１の頭部１ａが頭部支持部材２０の本体部２１に過度に入り込むことを抑制可能である。
【００３２】
また、第１実施形態では、図４（Ａ）（Ｂ）に示すように、画像診断装置１００は、頭部支持部材２０に設けられるとともに、第１の印部２３ａの位置に被験者１の頭頂部１ｃの位置を規制するための規制部材５０（規制治具）を備えている。規制部材５０は、頭部支持部材２０に着脱可能に設けられている。規制部材５０は、頭部支持部材２０の本体部２１への被験者１の頭部１ａの配置を行う際、頭部支持部材２０に取り付けられるように構成されている。また、規制部材５０は、撮像部３０による被験者１の頭部１ａの撮像を行う際、頭部支持部材２０から取り外されるように構成されている。また、規制部材５０は、頭部支持部材２０と同じ材料（炭素繊維強化プラスチックなど）により構成されている。これにより、着脱する際に、規制部材５０と頭部支持部材２０との間で傷みが生じることを極力抑制可能である。
【００３３】
規制部材５０は、規制部５１と、係合部５２とを含んでいる。規制部５１は、第１の印部２３ａの位置に被験者１の頭頂部１ｃの位置を規制する板状の部分である。規制部５１は、下方（Ｚ２方向側）が細いホームベース状に形成されている。規制部５１は、被験者１の頭頂部１ｃとＸ方向に対向する規制面５１ａを有している。規制面５１ａは、頭部支持部材２０の本体部２１の支持面２１ａに略垂直になるように設けられている。係合部５２は、頭部支持部材２０に係合する部分である。係合部５２は、Ｕ字状の本体部２１のＹ方向の端辺部２１ｆに係合するように設けられている。具体的には、係合部５２は、Ｕ字状の本体部２１のＹ方向の端辺部２１ｆに上方（Ｚ１方向側）から嵌合することにより、係合するように設けられている。また、係合部５２は、規制部５１のＹ方向の両端部にそれぞれ設けられている。一対の係合部５２は、それぞれ、Ｙ１方向側の端辺部２１ｆ、および、Ｙ２方向側の端辺部２１ｆに係合するように設けられている。また、係合部５２は、規制部材５０が端辺部２１ｆに沿ってＸ方向にスライド移動可能に、端辺部２１ｆに係合するように設けられている。これにより、規制部材５０は、頭部支持部材２０にスライド移動可能に設けられている。
【００３４】
（撮像準備から撮像までの作業）
次に、図１および図４を参照して、画像診断装置１００による被験者１の頭部１ａの撮像準備から撮像までの作業について説明する。まず、撮像部３０が退避位置に位置し、頭部支持部材２０が載置台１０に取り付けられた状態で、載置台１０に被験者１が仰臥位で載置される。そして、被験者１の頭部１ａが、規制部材５０が取り付けられた状態の頭部支持部材２０に配置される。画像診断装置１００による撮像を行う技師は、頭部支持部材２０の印部２３（第１の印部２３ａ、第２の印部２３ｂ）および規制部材５０により、被験者１の頭部１ａが撮像部３０による撮像範囲３３内に位置しているか否かを確認する。被験者１の頭部１ａが撮像部３０による撮像範囲３３内に位置している場合、規制部材５０が頭部支持部材２０から取り外された後、撮像部３０が退避位置から撮像位置に移動される。そして、撮像部３０による被験者１の頭部１ａの撮像が行われる。
【００３５】
また、被験者１の頭部１ａの位置の確認の際、被験者１の頭部１ａが撮像部３０による撮像範囲３３内に位置していなかった場合、技師の指示に基づいて、被験者１の頭部１ａが撮像部３０による撮像範囲３３内に位置するように移動される。そして、規制部材５０が頭部支持部材２０から取り外された後、撮像部３０が退避位置から撮像位置に移動される。そして、撮像部３０による被験者１の頭部１ａの撮像が行われる。
【００３６】
（第１実施形態の効果）
第１実施形態では、以下のような効果を得ることができる。
【００３７】
第１実施形態では、上記のように、頭部支持部材２０を、撮像部３０による撮像範囲３３を示す印部２３を含むように構成する。頭部支持部材２０の印部２３を確認することにより、撮像部３０による被験者１の頭部１ａの撮像開始前に、被験者１の頭部１ａが撮像部３０による撮像範囲３３内に位置しているか否かを確認することができるので、撮像部３０による被験者１の頭部１ａの撮像開始前に、被験者１の頭部１ａを確実に撮像範囲３３内に位置させることができる。その結果、被験者１の頭部１ａが撮像部３０による撮像範囲３３外に位置していたことに起因して、撮像部３０による被験者１の頭部１ａの撮像のやり直しが起こることを抑制することができるので、撮像部３０による被験者１の頭部１ａの撮像に要する手間が増加することを抑制することができる。
【００３８】
また、第１実施形態では、上記のように、印部２３を、撮像部３０による撮像範囲３３の被験者１の頭頂部１ｃ側の撮像端を示す第１の印部２３ａを有するように構成する。これにより、頭部支持部材２０の第１の印部２３ａを確認することにより、被験者１の頭頂部１ｃを確実に撮像範囲３３内に位置させることができる。
【００３９】
また、第１実施形態では、上記のように、第１の印部２３ａを、頭部支持部材２０に付された図形により構成する。これにより、簡素な構成により第１の印部２３ａを構成しつつ、第１の印部２３ａにより、撮像部３０による撮像範囲３３の被験者１の頭頂部１ｃ側の撮像端を示す位置を視覚的に容易に識別することができる。
【００４０】
また、第１実施形態では、上記のように、画像診断装置１００を、頭部支持部材２０に設けられるとともに、第１の印部２３ａの位置に被験者１の頭頂部１ｃの位置を規制するための規制部材５０を備えるように構成する。これにより、規制部材５０により被験者１の頭頂部１ｃの位置を第１の印部２３ａの位置に規制することにより、被験者１の頭頂部１ｃをより確実に撮像範囲３３内に位置させることができるとともに、規制部材５０により、撮像部３０による撮像範囲３３の被験者１の頭頂部１ｃ側の撮像端を示す位置を視覚的により容易に識別することができる。
【００４１】
また、第１実施形態では、上記のように、規制部材５０を、頭部支持部材２０に着脱可能に設ける。これにより、撮像部３０による被験者１の頭部１ａの撮像を行う際に、規制部材５０を頭部支持部材２０から取り外すことができるので、規制部材５０が撮像部３０による被験者１の頭部１ａの撮像結果に影響することを防止することができる。
【００４２】
また、第１実施形態では、上記のように、規制部材５０を、頭部支持部材２０にスライド移動可能に設ける。これにより、規制部材５０をスライド移動させることにより、容易に頭部支持部材２０に対して着脱することができる。
【００４３】
また、第１実施形態では、上記のように、印部２３を、撮像部３０による撮像範囲３３の被験者１の頭頂部１ｃ側とは反対側の撮像端を示す第２の印部２３ｂを有するように構成する。これにより、頭部支持部材２０の第２の印部２３ｂを確認することにより、被験者１の顎部（頭頂部１ｃとは反対側の部分）を確実に撮像範囲３３内に位置させることができる。
【００４４】
また、第１実施形態では、上記のように、第２の印部２３ｂを、頭部支持部材２０の被験者１の頭頂部１ｃ側とは反対側の端部により構成する。これにより、頭部支持部材２０のより深い位置に被験者１の頭部１ａを位置させることができるので、被験者１の頭部１ａをより確実に撮像範囲３３内に位置させることができる。
【００４５】
［第２実施形態］
次に、図１、図５および図６を参照して、本発明の第２実施形態について説明する。第２実施形態では、頭部支持部材の第１の印部が図形により構成されている上記第１実施形態とは異なり、頭部支持部材の第１の印部が凹部により構成されている例について説明する。なお、上記第１実施形態と同一の構成については、図中において同じ符号を付して図示し、その説明を省略する。
【００４６】
（画像診断装置の構成）
画像診断装置２００は、図１および図６に示すように、頭部支持部材１２０と規制部材１５０とを備える点で、上記第１実施形態の画像診断装置１００と相違する。
【００４７】
第２実施形態では、図５および図６に示すように、頭部支持部材１２０は、撮像部３０（図１参照）による撮像範囲３３を示す印部１２３を含んでいる。印部１２３は、撮像部３０による撮像範囲３３の被験者１の頭頂部１ｃ側（Ｘ１方向側）の撮像端を示す第１の印部１２３ａと、上記第１実施形態の第２の印部２３ｂとを有している。
【００４８】
第１の印部１２３ａは、頭部支持部材１２０に設けられた凹部により構成されている。第１の印部１２３ａである凹部は、上方（Ｚ１方向側）から下方（Ｚ２方向側）に向かって窪むように設けられている。また、第１の印部１２３ａである凹部は、本体部２１の端辺部２１ｆに形成された切欠きとして設けられている。また、第１の印部１２３ａである凹部は、Ｙ１方向側の端辺部２１ｆ、および、Ｙ２方向側の端辺部２１ｆにそれぞれ設けられている。また、第１の印部１２３ａは、頭部支持部材２０の本体部２１のＸ１方向側の端部２１ｄよりもＸ２方向側に設けられている。
【００４９】
また、第２実施形態では、図６（Ａ）（Ｂ）に示すように、規制部材１５０は、頭部支持部材１２０に着脱可能に設けられている。規制部材１５０は、頭部支持部材１２０の本体部２１への被験者１の頭部１ａの配置を行う際、頭部支持部材１２０に取り付けられるように構成されている。また、規制部材１５０は、撮像部３０による被験者１の頭部１ａの撮像を行う際、頭部支持部材１２０から取り外されるように構成されている。
【００５０】
規制部材１５０は、規制部１５１と、係合部１５２とを含んでいる。規制部１５１は、第１の印部１２３ａの位置に被験者１の頭頂部１ｃの位置を規制する板状の部分である。規制部１５１は、下方（Ｚ２方向側）が細い台形状に形成されている。規制部１５１は、被験者１の頭頂部１ｃとＸ方向に対向する規制面１５１ａを有している。規制面１５１ａは、頭部支持部材２０の本体部２１の支持面２１ａに略垂直になるように設けられている。係合部１５２は、頭部支持部材１２０に係合する部分である。係合部１５２は、第１の印部１２３ａである凹部に係合するように設けられている。具体的には、係合部１５２は、Ｕ字状の本体部２１のＹ方向の端辺部２１ｆに上方（Ｚ１方向側）から嵌合することにより、係合するように設けられている。規制部材１５０は、係合部１５２が頭部支持部材１２０の第１の印部１２３ａである凹部に係合した状態で、第１の印部１２３ａの位置に固定されるように設けられている。また、係合部１５２は、規制部１５１のＹ方向の両端部にそれぞれ設けられている。一対の係合部１５２は、それぞれ、Ｙ１方向側の第１の印部１２３ａである凹部、および、Ｙ２方向側の第１の印部１２３ａである凹部に係合するように設けられている。
【００５１】
第２実施形態のその他の構成は、上記第１実施形態と同様である。
【００５２】
（第２実施形態の効果）
第２実施形態では、以下のような効果を得ることができる。
【００５３】
第２実施形態では、上記のように、第１の印部１２３ａを、頭部支持部材１２０に設けられた凹部により構成する。これにより、簡素な構成により第１の印部１２３ａを構成しつつ、第１の印部１２３ａにより、撮像部３０による撮像範囲３３の被験者１の頭頂部１ｃ側の撮像端を示す位置を視覚的に容易に識別することができる。
【００５４】
また、第２実施形態では、上記のように、規制部材１５０は、第１の印部１２３ａである凹部に係合するように設けられている。これにより、被験者１の頭頂部１ｃが規制部材１５０に接した場合、被験者１の頭頂部１ｃが接した規制部材１５０を、係合した第１の印部１２３ａにより、第１の印部１２３ａの位置に留めることができるので、被験者１の頭頂部１ｃを簡単に撮像範囲３３内に位置させることができる。
【００５５】
なお、第２実施形態のその他の効果は、上記第１実施形態と同様である。
【００５６】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００５７】
たとえば、上記第１および第２実施形態では、載置台の天板部および撮像部の両方が移動可能に設けられている例を示したが、本発明はこれに限られない。本発明では、載置台の天板部および撮像部のうちのいずれか一方のみが移動可能に設けられていてもよい。
【００５８】
また、上記第１および第２実施形態では、頭部支持部材が、載置台の天板部に着脱可能に設けられている例を示したが、本発明はこれに限られない。本発明では、頭部支持部材が、必ずしも載置台の天板部に着脱可能に設けられていなくてもよい。たとえば、頭部支持部材が、載置台の天板部に着脱不能に固定されていてもよい。
【００５９】
また、上記第１および第２実施形態では、頭部支持部材の本体部が、略半円筒状に設けられている例を示したが、本発明はこれに限られない。本発明では、頭部支持部材の本体部が、略半角筒状（コの字状など）に設けられていてもよいし、扁平（平板状）に設けられていてもよい。なお、頭部支持部材の本体部が、略半円筒状に設けれている場合、略半円筒が真円の半分であってもよいし、楕円の半分であってもよい。
【００６０】
また、上記第１および第２実施形態では、頭部支持部材の印部が、第１の印部と第２の印部とにより、撮像部による撮像範囲の撮像端のみを示すように構成されている例を示したが、本発明はこれに限られない。本発明では、頭部支持部材の印部が、撮像部による撮像範囲の全体を示すように構成されていてもよい。たとえば、頭部支持部材の印部が、他の部分と色を異ならせることにより、撮像部による撮像範囲の全体を示すように構成されていてもよい。
【００６１】
また、上記第１および第２実施形態では、頭部支持部の印部が、単一の撮像範囲のみを示すように構成されている例を示したが、本発明はこれに限られない。本発明では、画像診断装置が複数の撮像範囲を備える場合、頭部支持部の印部が、複数の撮像範囲のそれぞれを示すように構成されていてもよい。たとえば、第１の印部を複数設けることにより、印部が、複数の撮像範囲のそれぞれを示すように構成されていてもよい。
【００６２】
また、上記第１および第２実施形態では、規制部材が、頭部支持部材と同じ材料により構成されている例を示したが、本発明はこれに限られない。本発明では、規制部材が、頭部支持部材と異なる材料により構成されていてもよい。たとえば、頭部支持部材が樹脂材料により構成される一方、規制部材が金属材料により構成されていてもよい。
【００６３】
また、上記第１および第２実施形態では、画像診断装置が、規制部材を備えるように構成されている例を示したが、本発明はこれに限られない。本発明では、画像診断装置が、必ずしも規制部材を備えるように構成されていなくてもよい。
【００６４】
また、上記第１および第２実施形態では、規制部材が、頭部支持部材に着脱可能に設けられている例を示したが、本発明はこれに限られない。本発明では、規制部材が、必ずしも頭部支持部材に着脱可能に設けられていなくてもよい。たとえば、規制部材が、頭部支持部材に着脱不能に固定されていてもよい。
【００６５】
また、上記第１および第２実施形態では、画像診断装置が、第１の印部の位置に被験者の頭頂部の位置を規制するための規制部材（第１の規制部材）を備えるように構成されている例を示したが、本発明はこれに限られない。本発明では、画像診断装置が、第２の印部の位置に被験者の頭頂部とは反対側の部分の位置を規制するための規制部材（第２の規制部材）を備えていてもよい。この場合、画像診断装置が、第１の規制部材および第２の規制部材の両方を備えていてもよいし、いずれか一方のみを備えていてもよい。
【００６６】
また、上記第１および第２実施形態では、頭部支持部材の第２の印部が、頭部支持部材の端部により構成されている例を示したが、本発明はこれに限られない。本発明では、頭部支持部材の第２の印部が、頭部支持部材に付された図形、頭部支持部材に設けられた凹部、または、頭部支持部材に設けられた凸部により構成されていてもよい。
【００６７】
また、上記第１実施形態では、頭部支持部材の第１の印部が、頭部支持部材の本体部の外側面に付されている例を示したが、本発明はこれに限られない。本発明では、頭部支持部材の第１の印部が、頭部支持部材の本体部の内側面（支持面）に付されていてもよい。
【００６８】
また、上記第２実施形態では、頭部支持部材の第１の印部が、頭部支持部材に設けられた凹部により構成されている例を示したが、本発明はこれに限られない。本発明では、頭部支持部材の第１の印部が、頭部支持部材に設けられた凸部により構成されていてもよい。
【符号の説明】
【００６９】
１  被験者
１ａ  頭部
１ｃ  頭頂部
１０  載置台
２０、１２０  頭部支持部材
２３、１２３  印部
２３ａ、１２３ａ  第１の印部
２３ｂ  第２の印部
３０  撮像部
５０、１５０  規制部材
１００、２００  画像診断装置
【図１】
2020091172.tif 000003
【図２】
2020091172.tif 000004
【図３】
2020091172.tif 000005
【図４】
2020091172.tif 000006
【図５】
2020091172.tif 000007
【図６】
2020091172.tif 000008